(57)【特許請求の範囲】
【請求項１】
歯付きカッティング装置を有し、作動中、片手で保持される毛髪切断用のヘアカッティング装置と、前記歯付きカッティング装置の位置で取付け方向の方向に前記ヘアカッティング装置に取り付けることができると共に取付け方向の反対方向に前記ヘアカッティング装置から除去することができる櫛装置とを具え、この櫛装置は前記ヘアカッティング装置に取り付けられた時、このヘアカッティング装置に固定して取り付けられる固定櫛部と、この固定して取り付けられた固定櫛部に対して調整可能である調整櫛部とを具え、更に、前記固定して取り付けられた固定櫛部に対して少なくとも２個の作動位置に前記調整櫛部を位置決めし得る位置決め手段を具えるヘアカッティングシステムにおいて、前記固定櫛部と調整櫛部とに相互に相対的に負荷を加える少なくとも１個のばねを設け、作動中、前記ヘアカッティング装置２を保持する手によって少なくとも２個の選択できる設定位置に調整でき前記ヘアカッティング装置に配置された調整装置を前記位置決め手段に設け、前記櫛装置を前記ヘアカッティング装置に取り付けた時、前記調整装置と前記調整櫛部とを自動的に結合するための継手手段を前記調整装置と調整櫛部との間に配置し、前記櫛装置を前記ヘアカッティング装置に取り付けた時、前記調整装置の選択された設定位置によって決定される希望する作動位置に、前記継手手段を介して前記調整装置の助けを借りて前記調整櫛部を自動的に動かし得るよう構成したことを特徴とするヘアカッティングシステム。
【請求項２】
作動中、前記ヘアカッティング装置を保持する手によって少なくとも２個の選択可能な設定位置に設定し得るボタンと、このボタンによって動かし得る構成部分と、この構成部分に連結された伝動手段とを前記調整装置に設け、この伝動手段を介して前記構成部分を作動可能に前記継手手段に連結することを特徴とする請求項１に記載のヘアカッティングシステム。
【請求項３】
前記ボタンによって動かし得る前記構成部分と、伝動手段とをヒンジ連結を介して相互に連結したことを特徴とする請求項２に記載のヘアカッティングシステム。
【請求項４】
前記ボタンをその各設定位置に掛止めし得るよう構成したことを特徴とする請求項２、又は３に記載のヘアカッティングシステム。
【請求項５】
前記櫛装置を前記ヘアカッティング装置に取り付けた時、前記取付け方向に平行な方向に前記固定櫛部に対し前記調整櫛部を調整可能にしたことを特徴とする請求項１〜４のいずれか１項に記載のヘアカッティングシステム。
【請求項６】
前記取付け方向に平行に延びて前記歯付きカッティング装置の区域でハウジング端に開口する２個の径方向に対向する案内溝を前記ヘアカッティング装置のハウジングに設け、前記櫛装置を前記ヘアカッティング装置に取り付けた時、各前記案内溝にそれぞれ静止掛合する２個の案内部材を前記固定櫛部に設け、前記櫛装置を前記ヘアカッティング装置に取り付けた時、各前記案内溝内にそれぞれ摺動掛合する他の２個の案内部材を前記調整櫛部に設け、前記調整装置と前記調整櫛部との間の前記継手手段を前記２個の案内溝の少なくとも１個内に収容したことを特徴とする請求項５に記載のヘアカッティングシステム。
【請求項７】
前記固定櫛部の前記２個の案内部材の横断面をＵ字状にし、その底壁を相互に離間すると共に、前記調整櫛部の他の２個の案内部材の横断面もＵ字状にし、前記調整櫛部のＵ字状の各案内部材を前記固定櫛部のＵ字状の案内部材のそれぞれ１個に掛合させることを特徴とする請求項６に記載のヘアカッティングシステム。
【請求項８】
少なくとも前記固定櫛部の１個のＵ字状案内部材と、
前記調整櫛部の１個のＵ字状案内部材との間に螺旋ばねを配置し、前記調整櫛部の案内部材を前記固定櫛部の案内部材内に掛合させ、前記ばねを２個の前記案内部材と同一方向に延在してこれ等２個の案内部材に作用させることを特徴とする請求項７に記載のヘアカッティングシステム。
【請求項９】
前記ヘアカッティング装置のハウジングの内部からこのハウジングの通路を通じて前記案内構内に突出する継手ピンと、前記調整櫛部の前記案内部材に配置された継手止めとを前記継手手段が具えることを特徴とする請求項６〜８のいずれか１項に記載のヘアカッティングシステム。
【請求項１０】
前記継手ビンが前記案内溝の底壁に形成されたスロット状通路に貫通していることを特徴とする請求項９に記載のヘアカッティングシステム。
【請求項１１】
前記固定櫛部と調整櫛部とに相互に相対的に負荷を加える少なくとも１個の引張りはねを設けたことを特徴とする請求項１乃至１０のうちのいずれか１項に記載のヘアカッティングシステム。
【請求項１２】
前記固定櫛部は前記歯付きカッティング装置まで延びる複数個の櫛歯を具え、前記調整櫛部は上記と等しい数の複数個の櫛歯を具え、前記調整櫛部を前記ばねの力に抗して前記固定櫛部に対して動かした時、前記固定櫛部の櫛歯は前記歯付きカッティング装置まで延びている調整櫛部の櫛歯の延長部を形成することを特徴とする請求項１乃至１１のうちのいずれか１項記載のヘアカッティングシステム。
【請求項１３】
前記固定櫛部の前記櫛歯がストリップ状で、その縦ストリップ方向が前記取付け方向に平行に延在しており、前記調整櫛部の前記櫛歯が襖状で、それぞれ前記取付け方向に平行に延びる溝孔を有し、前記固定櫛部のストリップ状櫛歯が各前記溝抗孔内に延びることを特徴とする請求項１２に記載のヘアカッティングシステム。
【発明の詳細な説明】
本発明は歯付きカッティング装置を有し、作動中、片手で保持される毛髪切断用のヘアカッティング装置と、歯付きカッティング装置の位置で取付け方向の方向にヘアカッティング装置に取り付けることができると共に取付け方向の反対方向にヘアカッティング装置から除去することができる櫛装置とを具え、この櫛装置はヘアカッティング装置に取り付けられた時、このヘアカッティング装置に固定して取り付けられる固定櫛部と、この固定して取り付けられた固定櫛部に対して調整可能である調整櫛部とを具え、更に、固定して取り付けられた固定櫛部に対して少なくとも２個の作動位置に調整櫛部を位置決めし得る位置決め手段を具えるヘアカッティングシステムに関するものである。
上記のパラグラフに記載した形式のヘアカッティングシステムは例えば特開昭61-79483号公報から既知である。この既知のヘアカッティングシステムにおいては、位置決め手段は専ら櫛装置に配置されており、固定櫛部と調整櫛部との間に作用する掛止め装置によって、この位置決め手段を形成している。この構造のため、この既知のヘアカッティングシステムの櫛装置は、一方の手でヘアカッティング装置を保持しながら、他方の手で調整櫛部を調整することができる。その結果、このヘアカッティング装置は取扱いが比較的困難である。更に、この既知のヘアカッティングシステムに使用されている構造の結果、このシステムのヘアカッティング装置に櫛装置を設置した時、掛止め装置によって定められる希望する予め選択された作動位置から調整櫛部が動き出してしまい、好ましくないことには予め選択された希望するヘアカッティング長さが変化してしまう。
本発明の目的は上述の問題点を除去し、簡単な手段で上述の問題点を簡単に解決した改良したヘアカッティングシステムを得るにある。この目的を達成するため、最初のパラグラフに記載した形式のヘアカッティングシステムにおいて、本発明は固定櫛部と調整櫛部とに相互に相対的に負荷を加える少なくとも１個のばねを設け、作動中、ヘアカッティング装置２を保持する手によって少なくとも２個の選択できる設定位置に調整できヘアカッティング装置に配置された調整装置を位置決め装置に設け、櫛装置をヘアカッティング装置に取り付けた時、調整装置と調整櫛部とを自動的に結合するための継手手段を調整装置と調整櫛部との間に配置し、櫛装置をヘアカッティング装置に取り付けた時、調整装置の選択された設定位置によって決定される希望する作動位置に、継手手段を介して調整装置の助けを借りて調整櫛部を自動的に動かし得るよう構成したことを特徴とする。このようにして、ヘアカッティング装置を一方の手で保持しながら、櫛装置の調整櫛部の希望する作動位置を得るため、この同じ一方の手で調整装置を調整することができ、この結果、本発明ヘアカッティングシステムは簡単で取扱いが容易である。更に、本発明ヘアカッティングシステムは櫛装置をヘアカッティング装置に設置した時、使用者によって予め設定した、又は予め選択した希望する作動位置に、調整装置の助けを借りて、櫛装置の調整櫛部を確実に設定することができる。
本発明ヘアカッティングシステムにおいて、作動中、ヘアカッティング装置を保持する手によって少なくとも２個の選択可能な設定位置に設定し得るボタンと、このボタンによって動かし得る構成部分と、この構成部分に連結された伝動手段とを調整装置に設け、この伝動手段を介して構成部分を作動可能に継手手段に連結すれば有利であることが立証されている。このことは、ヘアカッティング装置の所定の幾何学的形状に、この構造を簡単、適正に適合させるのに有利である。更に、構造を簡単化することができる。
最初のパラグラフに記載されたヘアカッティングシステムにおいて、ボタンによって動かし得る構成部分と、伝動手段とをヒンジ連結を介して相互に連結すれば有利であることが更に立証されている。この結果、ボタンで作動する構成部分、及び伝動手段のための種々の調整方向を得るのが簡単である。
ボタンをその各設定位置に掛止めし得るよう構成すれば有利であることが立証されている。このようにして、ボタンの不随意の作動、従って調整櫛部の予め選択された作動位置を定める継手手段の不随意の作動を確実に防止する。
櫛装置を取付け方向にヘアカッティング装置に取り付ける本発明ヘアカッティングシステムの上述の変形においては、取付け方向と異なる調整方向に固定櫛部に対し調整櫛部を調整することができる。しかし、櫛装置をヘアカッティング装置に取り付けた時、取付け方向に平行な方向に固定櫛部に対し調整櫛部を調整可能にすれば特に有利であることが立証されている。このことは本発明ヘアカッティングシステムの特に簡単な構造のため有利である。
最初のパラグラフに記載したヘアカッティングシステムにおいて、取付け方向に平行に延びて歯付きカッティング装置の区域でハウジング端に開口する２個の直径的に対向する案内溝をヘアカッティング装置のハウジングに設け、櫛装置をヘアカッティング装置に取り付けた時、各案内溝にそれぞれ静止掛合する２個の案内部材を固定櫛部に設け、櫛装置をヘアカッティング装置に取り付けた時、各案内溝内にそれぞれ摺動掛合する他の２個の案内部材を調整櫛部に設け、調整装置と調整櫛部との間の継手手段を２個の案内溝の少なくとも１個内に収容すれば有利であることが立証されている。これはコンパクトな構造であること、及びヘアカッティング装置に対して櫛装置の信頼性ある安定した案内を行うことから有利である。
最初のパラグラフに記載したヘアカッティングシステムにおいて、固定櫛部の２個の案内部材の横断面をＵ字状にし、その底壁を相互に離間すると共に、調整櫛部の他の２個の案内部材の横断面もＵ字状にし、調整櫛部のＵ字状の各案内部材を固定櫛部のＵ字状の案内部材のそれぞれ１個に掛合させれば特に有利であることが立証されている。これは、案内部材を相互に嵌着するから特にコンパクトな構造のため有利である。
最初のパラグラフに記載したヘアカッティングシステムにおいて、少なくとも固定櫛部の１個のＵ字状案内部材と、調整櫛部の１個のＵ字状案内部材との間に螺旋ばねを配置し、調整櫛部の案内部材を固定櫛部の案内部材内に掛合させ、ばねを２個の案内部材と同一方向に延在してこれ等２個の案内部材に作用させれば非常に有利であることが立証されている。このような構造は螺旋ばねには殆ど付加的空間を必要とせず、Ｕ字状の案内部材の内側の空間はこのばねを収容するために利用されるから、特にコンパクトな構造である利点がある。
ヘアカッティング装置が直径的に対向する２個の案内溝を有するヘアカッティングシステムにおいて、ヘアカッティング装置のハウジングの内部からこのハウジングの通路を通じて案内溝内に突出する継手ピンと、調整櫛部の案内部材に配置された継手止めとを継手手段が具えていれば有利であることが立証されている。これは継手手段が良く保護されており、簡単で信頼性ある構造であり、有利である。
更に、継手ピンが案内溝の底壁に形成されたスロット状通路に貫通していれば有利であることが立証されている。これは簡単で実際的に具体化されており有利であることが立証されている。
本発明ヘアカッティングシステムの上述の全ての変形においては、少なくとも１個の圧力ばね、又は板ばね、又は棒状ばねによって固定櫛部と調整櫛部に相互に相対的にばね負荷を加えることができる。しかし、固定櫛部と調整櫛部とに相互に相対的に負荷を加ええる少なくとも１個の引張りばねを設ければ非常に有利であることが立証されている。このような構造は特に信頼性があり、実際に有効であることが立証されている。
本発明ヘアカッティングシステムの上述の全ての変形においては、固定櫛部は歯付きカッティング装置まで延びる複数個の櫛歯を具え、調整櫛部は上記と等しい数の複数個の櫛歯を具え、調整櫛部をばねの力に抗して固定櫛部に対して動かした時、固定櫛部の櫛歯は歯付きカッティング装置までの調整櫛部の櫛歯の延長部を形成すれば非常に有利であることが立証されている。これは櫛装置の全ての抜き差し作動状態において、トリミングすべき毛髪が歯付きカッティング装置に適正に送られることを保証するものである。
固定櫛部の前記櫛歯がストリップ状で、その縦ストリップ方向が取付け方向に平行に延在しており、調整櫛部の櫛歯が楔状で、それぞれ取付け方向に平行に延びる溝孔を有し、固定櫛部のストリップ状櫛歯が各溝孔内に延びていれば特に有利であることが立証されている。これは簡単でコンパクトな構造であり、非常に有利であり、更に、固定櫛部に対して調整櫛部を満足に案内することができる。
本発明の上述の要旨、及びその他の要旨は例として次に説明する実施例から明らかになるであろう。
例として２つの実施例を示す図面を参照して本発明を一層詳細に説明するが、本発明はこれ等の実施例に限定されない。
図１はヘアカッティング装置と、このヘアカッティング装置に取り付けられた櫛装置とを具え、この櫛装置はヘアカッティング装置に対し固定して取り付けられる櫛部と、調整可能な櫛部とを具え、引張りばねによりこれ等２個の櫛部に相互に相対的にばね負荷を加える本発明の第１実施例のヘアカッティングシステムを上方から見て僅かに縮小した斜視図である。
図２は図１に示すヘアカッティングシステムの平面図である。
図３は図１、及び図２に示すヘアカッティングシステムの側面図である。
図４は櫛装置をヘアカッティング装置から取り外し、その櫛装置の一部を断面として示す図１〜図３のヘアカッティングシステムの側面図である。
図５は櫛装置の調整櫛部を希望する作動位置に設定し得る調整装置を見得るようにするため、ヘアカッティング装置の一方のハウジング半部を除去した図３と同様に、図１〜図４のヘアカッティングシステムを示す。
図６は図５に比較し拡大した寸法で図１〜図５のヘアカッティングシステムのヘアカッティング装置の調整装置を示す側面図である。
図７は図６に示す調整装置の詳細を示す断面図である。
図８は上方から斜に見た図６の調整装置を示す。
図９は調整櫛部を固定櫛部に対して調整していない状態の図１〜図５のヘアカッティングシステムの櫛装置を上方から見た状態に示す。
図１０は調整櫛部を固定櫛部に対して調整を完了し、調整櫛部を固定櫛部に掛合保持する引張りばねを示し、図９に示す櫛装置を一部を断面とする側面図で示す。
図１１は引張りばねの力に抗して固定櫛部に対して調整櫛部を希望する作動位置に保持した状態で図１〜図５のヘアカッティングシステムの一部を示す。
図１２は櫛装置の固定櫛部と調整櫛部との間に圧力ばねを配置した本発明の第２実施例のヘアカッティングシステムの一部を図１１と同様に示す。
図１〜図５、及び図１１はヘアカッティングシステム１を示す。このヘアカッティング１は毛髪を切るためのヘアカッティング装置２を具える。このヘアカッティング装置は作動中、手に保持される。ヘアカッティング装置２は細長いハウジング３を有する。ハウジング３は基本的に２個のハウジング半部４、５から成り、これ等ハウジング半部は分離線に沿って互いに隣接する。ハウジング３は図３〜図５から明らかなように曲がった形状である。ハウジング３は第１ハウジング部分７と第２ハウジング部分８とから成り、第２ハウジング部分８は第１ハウジング部分７から突出し、第１ハウジング７に対し傾いている。これ等２個のハウジング部分７、８は図３、及び図４に鎖線９によって示す遷移帯域でほぼ相互に隣接している。
オンオフスライドボタン１２を遷移帯域９に近く第１ハウジング部分７の凸部１０に配置し、二重矢印１１によって示すようにこのスライドボタン１２はオン位置と、オフ位置との間に移動することにより、ヘアカッティング装置１の駆動モータ（図示せず）をオン、オフすることができる。
ボタン１５を第１ハウジング部分７の凹部１３に遷移帯域９に近く配置し、二重矢印１４によって示すように、複数個の選択可能な設定位置間にボタン１５を移動可能にする。ボタン１５の機能は後に詳細に説明する。
ヘアカッティング装置２は第２ハウジング部分８の末端１６の区域に歯付きカッティング装置１７を具え、この歯付きカッティング装置１７は静止歯付きカッタ１８と、駆動手段（図示せず）を介してモータ（図示せず）により往復駆動される歯付きカッタ１９とを具える。このような歯付きカッティング装置の構造、及びこのような歯付きカッティング装置の往復駆動される歯付きカッタのための駆動手段の構造は既知であり、本発明の要旨と関連がないのでこれ以上の説明は行わない。
歯付きカッティング装置１７によって、例えば人の頭髪を刈ることができる。ヘアカッティング装置２のみを使用する時、このヘアカッティング装置２を未熟練の使い方、即ち不適切な使い方をした場合、毛髪が余りにも短くされ、即ち余りにも短くトリミングされると言う問題が起きる。この問題を解決するため、図１〜図５、及び図１１に示すヘアカッティングシステム１は図１〜図５、及び図１１に示すような櫛装置２０を有する。櫛装置２０に関しては、櫛装置２０を拡大して示す図９、及び図１０をも参照されたい。
図４に矢印２１にて示すように、歯付きカッティング装置１７の区域において、櫛装置２０を矢印２１の取付け方向にヘアカッティング装置２に取り付けることができる。同様に、矢印２１の取付け方向の反対方向に櫛装置２０をヘアカッティング装置２から取り外すことができる。
櫛装置２０は調節可能なので、調節櫛とも呼ばれる。調節可能にするため、この櫛装置２０は、櫛装置２０をヘアカッティング装置２に取り付けた時、ヘアカッティング装置２に対して固定して取り付けられる固定櫛部２２と、この固定して取り付けられた固定櫛部２２に対して調整自在であり、従ってヘアカッティング装置２に対し、即ち歯付きカッティング装置１７に対しても調整可能である調整櫛部２３とを具える。
固定して取り付けられる固定櫛部２２はストリップ状の並置された６個の櫛歯２４を具え、各櫛歯２４は矢印２１の取付け方向に平行に歯付きカッティング装置１７まで延びている。各櫛歯２４はアーム２５を介して連結部材２６に一体に連結されている。この２個の外側アーム２５はそれぞれ補強リム２７、２８に一体に連結されている。固定櫛部２２は更に２個の案内部材２９、３０を具え、その第１案内部材２９は補強リブ２７と連結部材２６とに一体に連結され、第２案内部材３０は補強リブ２８と連結部材２６とに一体に連結されている。固定櫛部２２の２個の案内部材２９、３０は別の弓形連結部材３１によって相互に一体に連結されている。この連結部材３１はその中心部に掛止め突起３２を有し、ヘアカッティング装置２に設けた掛止めノーズ３３にこの掛止め突起３２を協働させる。櫛装置２０をヘアカッティング装置２に取り付けた時、掛止め突起３２は掛止めノーズ３３の背後にスナップ掛合し、従って掛止め連結を形成し、これにより櫛装置２０の固定櫛部２２をヘアカッティング装置２に固着する。
調整櫛部２３も並置された６個の櫛歯３４を具える。櫛歯３４は櫛装置２０の側面図から特に明らかなように平坦な形状であり、歯先３５から歯元３６まで延在する。歯先３５と歯元３６との間に、各櫛歯３４は僅かに凹形の接触帯域３７を有する。この接触帯域３７によって櫛歯３４を人の皮膚の区域、例えば人の頭皮に加えることができる。
調整櫛部２３の櫛歯３４をその歯元３６の端部の位置で弓形連結部材３８によって相互に連結する。調整櫛部２３の弓形連結部材３８は特に図９〜図１１から明らかなように、固定櫛部２２の別個の同様の弓形連結部材３１に平行に延在する。櫛歯３４の僅かに凹形の前部帯域３９は櫛歯３４の歯先３５からヘアカッティング装置２に向け、即ちその歯付きカッティング装置１７に向け延びる。櫛歯３４の前部帯域３９に隣接して、各櫛歯３４は矢印２１の取付け方向に平行に延在する溝孔４０を有する。歯が矢印に示す取付け方向２１に向いている固定櫛歯２２のストリップ状櫛歯２４は各溝孔４０内に延在する。調整櫛部２３に関して、これは更に２個の案内部材４１、４２を具える。その第１案内部材４１を図４、図９、及び図１０に示し、第２案内部材４２を図５に示す。
図１〜図５、及び図１１に示すヘアカッティングシステム１においては、櫛装置２０をヘアカッティング装置２に取り付けた時、調整櫛部２３は矢印に示す取付け方向２１に平行な方向に固定櫛部２２に対して調整可能である。取付け方向２１に平行に、固定櫛部２２に対して調整櫛部２３の調整を達成するため、ヘアカッティング装置２のハウジング３は直径的に対向する２個の案内溝４３を有する。これ等案内溝４３は取付け方向２１に平行に延在し、歯付きカッティング装置１７の区域でハウジングの末端１６で開口している。図１、図３〜図５、及び図１１に１個の案内溝４３を示す。
以前に述べたように、固定櫛部２２は２個の案内部材２９、３０を具え、調整櫛部２３はこれとは別個の２個の案内部材４１、４２を具える。ヘアカッティング装置２に櫛装置２０が取り付けられた場合、各２個の案内部材２９、３０は案内溝４３内に静止掛合する。ヘアカッティング装置２に櫛装置２０が取り付けられた場合、調整櫛部２３の各案内部材４１、４２は案内溝４３内に摺動して掛合する。
図９から特に明らかなように、固定櫛部２２の２個の案内部材２９、３０はＵ字状横断面を有し、その底壁は相互に離間している。調整櫛部２３の２個の案内部材４１、４２もＵ字状横断面を有し、その底壁は相互に離間している。固定櫛部２２の第１案内部材２９、及び調整櫛部２３の第１案内部材４１に関して、図９から明らかなように、調整櫛部２３の各Ｕ字状案内部材４１、４２は固定櫛部２２のＵ字状案内部材２９、３０のそれぞれに掛合する。
図１〜図５、及び図１１に示すヘアカッティングシステム１は位置決め手段を具え、これにより、固定櫛部２２に対して調整櫛部２３を複数個の作動位置に位置決めすることができる。これ等の位置決め手段の構造を後に一層詳細に説明する。
しかし、まず第１に、図１〜図５、及び図１１に示すヘアカッティングシステム１においては、固定櫛部２２、及び調整櫛部２３は図４、及び図１０から明らかなようにばね４８によって相互に相対的に有利に負荷を受けるという基本的事実に注目すべきである。これ等２個の図面から一層明らかなように、固定櫛部２２のＵ字状第１案内部材２９と、これに協働する調整櫛部２３のＵ字状第１案内部材４１との間に螺旋ばね４８を配置し、これ等２個の案内部材２９、４１と同一方向にばね４８を延在し、このばねをこれ等２個の案内部材２９、４１に作用させる。固定櫛部２２、及び調整櫛部２３に負荷を加えるばね４８は引張りばねであるのが適している。引張りばねの形状のばね４８の一端を固定櫛部２２の第１案内部材２９の突起４９に結合する。ばね４８の第２端を調整櫛部２３の第１案内部材４１の突起（図示せず）に結合する。
以前に述べたように、ヘアカッティングシステム１は調整櫛部２３を固定櫛部２２に対し調整し、複数個の作動位置に位置決めする位置決め手段を有する。この場合、これ等の位置決め手段は図５〜図８に示す調整装置５０を具えるのが有利である。この調整装置はヘアカッティング装置２に設けられており、このシステムの作動中、ヘアカッティング装置２を保持している手で複数個の選択可能な設定位置に設定することができる。更に、この調整装置５０と調整櫛部２３との間に配置された継手手段５１は、櫛装置２０をヘアカッティング装置２に取り付けた時、調整装置５０と、調整櫛部２３とを自動的に結合する役割を果たす。櫛部２０をヘアカッティング装置２に取り付けた時、継手手段５１を介して、調整装置５０の助けを借りて、調整櫛部２３を希望する作動位置に自動的に動かすことができる。この作動位置は調整装置５０の選択された設定位置によって決定される。
調整装置５０はボタン１５を有し、このボタン１５は、このシステムの作動中、ヘアカッティング装置２を保持している手によって複数個の選択可能な設定位置に設定される。ボタン１５には指針５２を設けており、この指針５２はヘアカッティング装置２のハウジング３上の目盛（図示せず）と協働して、選択された設定位置を示す。更に、調整装置５０はこの調整装置５０のボタン１５によって移動可能な構成部分５３を具える。この構成部分５３はヘアカッティング装置２のハウジング３の同様に湾曲した案内溝によって摺動案内される湾曲板部５４を具える。基本的に中空筒形で、断面長方形のスリーブ部５５を湾曲板部５４に一体に連結する。板部５４から遠方のスリーブ部５５の端部を棒部５６に一体に連結する。板部５４から遠方のスリーブ部５５の側部から２個の弾性アーム５７、５８を側方に突出する。各弾性アーム５７、５８の自由端にそれぞれ掛止め突起５９、６０を設け、ヘアカッティング装置２のハウジング３に設けた掛止め歯（図示せず）に掛止め突起５９、６０を協働させる。２個の掛止め突起５９、６０、及び掛止め歯（図示せず）によって機械的抵抗を操作者が感ずることにより、調整装置５０の一設定位置から隣接する設定位置への移動を知らせる。
図７に特に明らかなように、ボタン１５を構成部分５３に結合し、ボタン１５から突出する２個の掛止めアーム６１、６２を構成部分５３のスリーブ部５５の背後に掛止めさせる。図７から一層明らかなように、ボタン１５と、構成部分５３の棒部５６との間に圧力ばね６３を配置し、図７に矢印６４に示す方向に圧力ばね６３によってボタン１５を押圧する。２個の掛止め突起６５、６６はボタン１５から側方に突出している。掛止め突起６５は図７に示され、掛止め突起６６は図８に示されている。２個の掛止め突起６５、６６は構成部分５３のスリーブ部５５の開口を横切っている。この各２個の掛止め突起６５、６６はヘアカッティング装置２のハウジング３に設けた掛止め歯（図示せず）に協働するように構成されている。
ボタン１５が圧力ばね６３によって作用する力を受けて図１〜図８に示すその静止位置にある時、２個の掛止め突起６５、６６は掛止め歯（図示せず）に掛合し、その結果、ボタン１５、従って調整装置５０は二重矢印１４によって示す方向に平行に動くことはできない。このようにして、ボタン１５、従って調整装置５０は第１設定位置に掛止めされる。同様に、ボタン１５、従って調整装置５０はそれぞれ別な設定位置に掛止めされる。圧力ばね６３の力に抗して矢印６４の方向と反対方向に、ボタン１５を押圧すると、掛止め突起６５、６６は掛止め歯（図示せず）から外れ、その結果、ボタン１５、従って調整装置５０は動くことができ、即ち二重矢印１４の方向に平行な方向に、希望する設定位置に摺動することができる。次にボタン１５を釈放すると、ボタン１５は圧力ばね６３の作用を受けて、その静止位置を占め、その時、掛止め突起６５、６６は再び掛止め歯（図示せず）に掛合し、これによりボタン１５、及び調整装置５０を希望する設定位置に掛止めする。
調整装置５０は更に伝動手段６７を具え、この伝動手段６７を構成部分５３に連結し、この構成部分５３を介して継手手段５１に作動可能に連結する。このヘアカッティングシステム１においては、ボタン１５によって移動可能な構成部分５３、及び伝動手段６７はヒンジ連結６８を介して相互に連結されている。この場合、伝動手段６７は２個のアーム６９、７０を具え、図面に１個のみを示すヒンジ７１を介して各アームを構成部分５３の棒部５６に枢着する。従って、ヒンジ連結６８は２個のヒンジ７１によって形成されている。
一層良く理解するため、継手手段５１が継手ピン７３、７４と、継手止め７５、７６とを具えることに注目すべきである。継手ピン７３、７４はハウジング３の通路７２から案内溝４３内に突出しており、継手止め７５、７６は調節櫛部２３の２個の案内部材４１、４２に配置されている。２個の継手止め７５、７６のうちの継手止め７５を図４、及び図１０に示し、図５に継手止め７６を示す。ハウジング３の２個の通路７２に関しては図４に１個の通路７２を示す。これ等通路７２は案内溝４３の底壁７７のスロットによって形成されており、このスロットに継手ピン７３、７４を貫通している。
図１〜図５、及び図１１に示すヘアカッティングシステム１においては、ヘアカッティングシステム１の使用者にとって望ましければ、櫛装置２０を使用せず、頭髪を刈るためにヘアカッティング装置２を使用することができる。しかし、代案として、櫛装置２０をヘアカッティング装置２に取り付けて、このヘアカッティング装置２を使用することもでき、ヘアカッティング装置２の歯付きカッティング装置１７と、刈るべき頭髪が突出する皮膚表面との間を常に希望する距離に維持して頭髪を刈ることができる。
櫛装置２０をヘアカッティング装置２に取り付けるため、案内部材２９、３０に連結された２個のグリップ帯域７８の位置で、例えば片手の人差し指と親指との間で櫛装置２０を保持し、次に、図４に示すように、この櫛装置を取付け方向２１の方向にヘアカッティング装置２に取り付ける。取り付け後は、掛止めノーズ３３と掛止め突起３２とによってヘアカッティング装置２に取り付けられた櫛装置２０の案内部材２９、３０は案内溝４３内に挿入される。この挿入中、継手ピン７３、７４は図４に示す作動位置を占めることができる。この作動位置はボタン１５、従って調整装置５０を上述の第１設定位置に掛止めしており、これは櫛装置２０によって調整できる最も短いヘアカットに相当する。図４に示す作動状態に櫛装置２０をヘアカッティング装置２に取り付ける時、調整櫛部２３の２個の案内部材４１、４２上の継手止め７５、７６は取付け操作が終了するまでは、継手ピン７３、７４に協働せず、その結果、調整櫛部２３はほぼ不変の位置に留まるが、櫛装置２０がヘアカッティング装置２０に完全に取り付けられた時、図１〜図３、図５、図９、及び図１０に示す作動状態が得られる。
しかし、櫛装置２０をヘアカッティング装置２に取り付ける前に、ボタン１５によって調整装置５０を他の希望する設定位置に設定し終わっていた場合、即ちボタン、及び調整装置５０が掛止め突起６５、６６によって掛止めされており、継手ピン７３、７４が図４に示す作動位置に対して矢印２１の方向と反対方向にシフトした作動位置を占めている場合、上述の作動状態下で櫛装置２０をヘアカッティング装置２に取り付ける時よりも一層早い時点で、継手止め７５、７６が継手手段５１の継手ピン７３、７４に既に当接し、その結果、も早、調整櫛部２３はヘアカッティング装置２に向け、一層近い方向に動くことはできないが、櫛部２２のみは完全にヘアカッティング装置２上に摺動し終わった後は、掛止め突起３２、及び掛止めノーズ３３によってヘアカッティング装置２に掛止めされる。このようにして、櫛装置２０をヘアカッティング装置２に取り付けた時、継手手段５１を介して、即ち継手ピン７３、７４、及び継手止め７５、７６を介して、調整装置５０によって、調整櫛部２３は調整装置５０の選択された設定位置によって決定される希望する作動位置に自動的に移動可能である。
このようにして、ヘアカッティング装置２から一層離れた作動位置に調整櫛部２３は保持され、この場合、図１１から明らかなように、一層長い頭髪のカットが設定される。この場合に、ヘアカッティング装置２から一層遠い作動位置に、調整櫛部２３が保持されるが、ヘアカッティング装置２に固定して取り付けられた固定櫛部２２のストリップ状櫛歯２４によって、調整櫛部２３の櫛歯３４はヘアカッティング装置２の歯付きカッティング装置１７まで延びているから、歯付きカッティング装置１７によって切断される頭髪は櫛歯３４、及び櫛歯２４によって案内され、その結果、頭髪は歯付きカッティング装置１７まで実際に適切に案内される。このことは、刈るべき頭髪の正しい案内と、歯付きカッティング装置１７による信頼性ある切断のために有利である。
上述のヘアカッティングシステム１は、櫛装置２０の調整櫛部２３を希望する作動位置に動かすため、片手でヘアカッティング装置２を保持しながら、その作動中、単純な手段の助けを借りて、ヘアカッティング装置２を保持している手と同一の手でボタン１５、従って調整装置５０を調整することができる利点がある。従って、ここに説明するヘアカッティングシステム１は簡単であり、取扱いが容易である。しかし、ボタン１５の操作、従って調整装置５０の操作は、このシステムの作動中、ヘアカッティング装置２を保持する手と同じ手で必ずしも行う必要はなく、使用者にとって好ましければ、他方の手で操作してもよい。ヘアカッティングシステム１によれば、櫛装置２０をヘアカッティング装置２に取り付ける時、櫛装置２０の調整櫛部２３を使用者が希望する作動位置に常に確実に設定し、また調整装置５０によって使用者により確実にプリセレクトすることができる。
図１２は本発明の第２実施例のヘアカッティングシステム１を示す。図１２に示すようにこのヘアカッティングシステム１は固定櫛部２２と、調整櫛部２３とが圧力ばねの形状のばね４８によって、相互に相対的に負荷を受け、調整櫛部２３の案内部材４１、４２の各自由端が継手ピン７３、又は７４に掛止め掛合され得る掛止めクランプ７９を具える点で、図１〜図１１に示す第１実施例によるヘアカッティングシステム１と相違している。ここでは２個の掛止めクランプ７９、及び継手ピン７３、７４は、櫛装置２０をヘアカッティング装置２に取り付けた時、調整装置（図１２に図示せず）と調整櫛部２３とを自動的に結合する継手手段５１を形成している。
図１２に示すヘアカッティングシステム１の場合、図１２から明らかなように、櫛装置２０をヘアカッティング装置２に取り付けた時、調整装置の選択的な設定によって決定される使用者が希望する作動位置に、この調整装置（図示せず）によって調整櫛部２３を自動的に動かすことを簡単に達成することができる。図１２に示すヘアカッティングシステム１においては、圧力ばねによって形成されたばね４８によって、固定櫛部をヘアカッティング装置２のハウジング３の末端１６に保持する。
本発明は例として上に説明した２個の実施例に限定されない。調整装置、継手手段、及び櫛装置に関して上の実施例と異なる構造にすることも可能である。例えば、固定櫛部と調整櫛部とに相互に相対的に負荷を加えるため１個のばねでなく、２個のばねを使用することができる。更に、螺旋引張りばね、又は螺旋圧縮ばねの代わりに、他の構造のばねを使用することができる。例えば、櫛歯の横方向に延在する棒状ばねを使用することができ、この棒状ばねを２個の櫛部のうちの一方の櫛部に固着し、この棒状のばねを２個の櫛部のうちの他方の櫛部に弾性的に作用させることができる。このような棒状ばねを例えば２個の櫛部と同様に、プラスチックで造ることができ、２個の櫛部のうちの一方の櫛部に一体にすることができる。
【図１】
0004043523.tif 000002
【図２】
0004043523.tif 000003
【図３】
0004043523.tif 000004
【図４】
0004043523.tif 000005
【図５】
0004043523.tif 000006
【図６】
0004043523.tif 000007
【図７】
0004043523.tif 000008
【図８】
0004043523.tif 000009
【図９】
0004043523.tif 000010
【図１０】
0004043523.tif 000011
【図１１】
0004043523.tif 000012
【図１２】
0004043523.tif 000013